(57)【特許請求の範囲】
【請求項１】
幅方向と前後方向を有し、おむつ本体の幅方向の両側に止着テープが設けられた使い捨ておむつであって、
前記止着テープは、テープ基材の一方側に形成され、少なくとも一部が前記おむつ本体に取り付けられたテープ本体部と、テープ基材の他方側に形成され、前記テープ本体部から幅方向に延在し前後方向に離隔して設けられた前側つまみ部と後側つまみ部とを有し、前記前側つまみ部と前記後側つまみ部にそれぞれ留め具が設けられ、
前記止着テープは、前後方向に前方領域と中間領域と後方領域とを有し、前記前方領域は、前記前側つまみ部の前記テープ本体部との接続部における前後方向の中心より前側部分であり、前記後方領域は、前記後側つまみ部の前記テープ本体部との接続部における前後方向の中心より後側部分であり、前記中間領域は、前記前方領域と前記後方領域の間の部分であり、
前記止着テープは第１折り目で前記留め具を内側にして幅方向の内方に折り返され、前記テープ基材は前記第１折り目を挟んだ一方側と他方側がシール部で互いに接合され、
前記シール部は少なくとも前記中間領域に形成され、前記前方領域と前記後方領域には前記シール部が形成されていないか、前記中間領域に形成された前記シール部の幅方向の最も内方部の前記第１折り目からの距離が、前記前方領域に形成された前記シール部の幅方向の最も内方部の前記第１折り目からの距離と前記後方領域に形成された前記シール部の幅方向の最も内方部の前記第１折り目からの距離よりも長いことを特徴とする使い捨ておむつ。
【請求項２】
前記シール部は、幅方向の内方縁が前記第１折り目に対して斜めに直線状に延びる部分を有する請求項１に記載の使い捨ておむつ。
【請求項３】
前記シール部は溶着により形成されている請求項１または２に記載の使い捨ておむつ。
【請求項４】
前記第１折り目は、前記テープ本体部の前記おむつ本体から幅方向の外方に延出した部分に形成されている請求項１〜３のいずれか一項に記載の使い捨ておむつ。
【請求項５】
前記第１折り目は、前記前側つまみ部および前記後側つまみ部に形成されている請求項１〜３のいずれか一項に記載の使い捨ておむつ。
【請求項６】
前記止着テープは、前記前側つまみ部と前記後側つまみ部にそれぞれ形成された第２折り目で前記留め具を内側にして幅方向の内方に折り返され、さらに前記テープ本体部に形成された前記第１折り目で、折り返された前記前側つまみ部と前記後側つまみ部を内側にして、幅方向の内方に折り返されている請求項１〜５のいずれか一項に記載の使い捨ておむつ。
【請求項７】
前記中間領域に形成された前記シール部の幅方向の最も内方部は、前記第２折り目で折り返された前記前側つまみ部と前記後側つまみ部の先端部よりも幅方向の外方に位置する請求項６に記載の使い捨ておむつ。
【請求項８】
前記シール部は前記前方領域と前記後方領域にも形成されている請求項１〜７のいずれか一項に記載の使い捨ておむつ。
【請求項９】
前記テープ基材は、前記シール部で、前記第１折り目を挟んだ一方側と他方側が剥離可能に互いに接合されている請求項１〜８のいずれか一項に記載の使い捨ておむつ。
【発明の詳細な説明】
【技術分野】
【０００１】
本発明は、止着テープを備えた使い捨ておむつに関するものであり、詳細には、折り畳まれた止着テープを有する使い捨ておむつに関するものである。
【背景技術】
【０００２】
従来、止着テープを備えたいわゆるテープタイプの使い捨ておむつが広く知られている。例えば特許文献１には、本体部の後方部の両側部にそれぞれ長手方向に配列されて左右方向に延びる２つの止着テープが設けられた使い捨ておむつが開示され、２つの止着テープはそれぞれ、テープ基部に第１止着部とそれより本体部側に第２止着部が設けられて構成され、一方の止着テープの第１止着部の先端側のエッジと第２止着部の本体部側のエッジとの間の距離が、他方の止着テープにおける第１止着部と第２止着部との間におけるテープ基部の幅よりも大きく形成されている。特許文献２には、おむつ本体と、おむつ本体の縦方向の後方側の部分における幅方向の両側に縦方向に間隔をあけて設けられた上側ファスニング部および下側ファスニング部と、おむつ本体の前方部の外面側に設けられた上側ファスニング部と下側ファスニング部の被付着部とを有する使い捨ておむつであって、上側ファスニング部に、基端側から先端側に向かって横方向に対して斜め上方に傾斜して延びる上側指標ラインが設けられ、下側ファスニング部に、基端側から先端側に向かって横方向に対して斜め下方に傾斜して延びる下側指標ラインが設けられた使い捨ておむつが開示されている。
【先行技術文献】
【特許文献】
【０００３】
【特許文献１】特開２０１１−１４７７１１号公報
【特許文献２】特開２０１２−０５０５７５号公報
【発明の概要】
【発明が解決しようとする課題】
【０００４】
特許文献１に開示される使い捨ておむつは、着用の際、本体部の後方部の両側部に長手方向に配列された２つの止着テープを重ね合わせて本体部の前方部に止着する、いわゆる重ね留めに適したものとなっている。特許文献２に開示される使い捨ておむつも、着用の際、おむつ本体の両側に縦方向に配列された上側ファスニング部と下側ファスニング部を重ね合わせておむつ本体の前方部に止着する、いわゆる重ね留めに適したものとなっている。このように止着テープを重ね合わせておむつ本体の前側部に止着することにより、使い捨ておむつの着用者の腰周りへのフィット性を高めることができる。一方、このように止着テープを重ね留めして使い捨ておむつを着用することに慣れていない使用者もおり、より簡単に止着テープの重ね留めができる使い捨ておむつがあれば望ましい。
【０００５】
本発明は前記事情に鑑みてなされたものであり、その目的は、おむつ本体の幅方向の両側に止着テープが設けられた使い捨ておむつであって、着用の際に止着テープの重ね留めを容易に行うことができる使い捨ておむつを提供することにある。
【課題を解決するための手段】
【０００６】
前記課題を解決することができた本発明の使い捨ておむつとは、幅方向と前後方向を有し、おむつ本体の幅方向の両側に止着テープが設けられたものであり；止着テープは、テープ基材の一方側に形成され、少なくとも一部がおむつ本体に取り付けられたテープ本体部と、テープ基材の他方側に形成され、テープ本体部から幅方向に延在し前後方向に離隔して設けられた前側つまみ部と後側つまみ部とを有し、前側つまみ部と後側つまみ部にそれぞれ留め具が設けられ；止着テープは、前後方向に前方領域と中間領域と後方領域とを有し、前方領域は、前側つまみ部のテープ本体部との接続部における前後方向の中心より前側部分であり、後方領域は、後側つまみ部のテープ本体部との接続部における前後方向の中心より後側部分であり、中間領域は、前方領域と後方領域の間の部分であり；止着テープは第１折り目で留め具を内側にして幅方向の内方に折り返され、テープ基材は第１折り目を挟んだ一方側と他方側がシール部で互いに接合され；シール部は少なくとも中間領域に形成され、前方領域と後方領域にはシール部が形成されていないか、中間領域に形成されたシール部の幅方向の最も内方部の第１折り目からの距離が、前方領域に形成されたシール部の幅方向の最も内方部の第１折り目からの距離と後方領域に形成されたシール部の幅方向の最も内方部の第１折り目からの距離よりも長いところに特徴を有する。
【０００７】
本発明の使い捨ておむつは、上記のように止着テープが第１折り目で折り返され、第１折り目に沿ってシール部が形成されているため、止着テープの第１折り目での折り返しを展開すると、前側つまみ部と後側つまみ部が互いに近づくように展開しやすくなる。そのため、止着テープの折り畳みを展開して前側つまみ部と後側つまみ部をおむつ本体の前側部に止着させる際に、前側つまみ部と後側つまみ部を重ね合わせて留めることを使用者が自然に行えるようになる。このように前側つまみ部と後側つまみ部を重ね合わせて留めることにより、止着テープによって着用者の骨盤の側面が上方側および下方側からサポートされやすくなり、使い捨ておむつの着用者の腰周りへのフィット性や両脚の付け根付近でのフィット性が高まる。
【０００８】
シール部は、幅方向の内方縁が第１折り目に対して斜めに直線状に延びる部分を有することが好ましい。このようにシール部が形成されていれば、止着テープの第１折り目での折り返しを展開した際、シール部においてテープ基材の接合が剥がれにくくなり、前側つまみ部と後側つまみ部が安定して互いに近づくように展開することができる。
【０００９】
シール部は溶着により形成されていることが好ましい。これにより、シール部を所望の形状で形成することが容易になる。
【００１０】
第１折り目は、例えば、テープ本体部のおむつ本体から幅方向の外方に延出した部分に形成することができる。あるいは、第１折り目は、前側つまみ部および後側つまみ部に形成してもよい。いずれの場合も、第１折り目に沿って上記のようにシール部を形成することにより、止着テープの第１折り目での折り返しを展開した際、前側つまみ部と後側つまみ部が互いに近づくように展開することができる。
【００１１】
止着テープは、前側つまみ部と後側つまみ部にそれぞれ形成された第２折り目で留め具を内側にして幅方向の内方に折り返され、さらにテープ本体部に形成された第１折り目で、折り返された前側つまみ部と後側つまみ部を内側にして、幅方向の内方に折り返されていることが好ましい。このように止着テープを第１折り目と第２折り目で折り返すことにより、止着テープをコンパクトに折り畳むことができる。
【００１２】
中間領域に形成されたシール部の幅方向の最も内方部は、第２折り目で折り返された前側つまみ部と後側つまみ部の先端部よりも幅方向の外方に位置することが好ましい。このようにシール部が形成されることにより、止着テープの第１折り目での折り返しを展開した後、前側つまみ部と後側つまみ部の第２折り目での折り返しを展開することが容易になり、止着テープの取り扱い性が良好となる。
【００１３】
シール部は前方領域と後方領域にも形成されていることが好ましい。このようにシール部が形成されていれば、止着テープの第１折り目での折り返しを展開した際、前側つまみ部と後側つまみ部がさらに安定して互いに近づくように展開することができる。
【００１４】
テープ基材は、シール部で、第１折り目を挟んだ一方側と他方側が剥離可能に互いに接合されていてもよい。このようにシール部が形成されていれば、使用者の好みに応じて、シール部でのテープ基材どうしの接合を維持したまま、前側つまみ部と後側つまみ部が互いに近づくように展開させて使用したり、あるいはシール部での接合を解除して、前側つまみ部と後側つまみ部が互いに平行に延びるように展開させて使用することができる。
【発明の効果】
【００１５】
本発明の使い捨ておむつは、止着テープの折り返しを展開すると、前側つまみ部と後側つまみ部が互いに近づくように展開しやすくなる。そのため、止着テープの折り畳みを展開して前側つまみ部と後側つまみ部をおむつ本体の前側部に止着させる際に、前側つまみ部と後側つまみ部を重ね合わせて留めることを使用者が自然に行えるようになる。
【図面の簡単な説明】
【００１６】
【図１】本発明の使い捨ておむつの一例を表し、使い捨ておむつを肌面側から見た平面図を表す。
【図２】図１に示した使い捨ておむつのＩＩ−ＩＩ断面図を表す。
【図３】図１に示した使い捨ておむつの右側に取り付けられた止着テープであって、第１折り目で折り返した状態を肌面側から見た平面図を表す。
【図４】図３に示した止着テープを第１折り目での折り返しを展開した状態を肌面側から見た平面図を表す。
【図５】図４に示した止着テープを、第１折り目に沿って形成されたシール部の接合を解いて、完全に平面状に展開した状態を肌面側から見た平面図を表す。
【図６】図５のＶＩ−ＶＩ断面図を表す。
【図７】図３に示した止着テープをさらに第３折り目で折り返した状態を肌面側から見た平面図を表す。
【図８】図１に示した使い捨ておむつの着用状態の斜視図を表す。
【図９】図３に示した止着テープの変形例を表す。
【図１０】本発明の使い捨ておむつに備えられる止着テープの他の一例を表し、止着テープを第１折り目と第２折り目で折り返した状態を肌面側から見た平面図を表す。
【図１１】図１０に示した止着テープを第１折り目での折り返しを展開した状態を肌面側から見た平面図を表す。
【図１２】図１１に示した止着テープを第２折り目での折り返しを展開した状態を肌面側から見た平面図を表す。
【図１３】本発明の使い捨ておむつに備えられる止着テープのさらに他の一例を表し、止着テープを第１折り目と第２折り目で折り返した状態を肌面側から見た平面図を表す。
【図１４】図１３に示した止着テープを第１折り目での折り返しを展開した状態を肌面側から見た平面図を表す。
【図１５】図１４に示した止着テープを第２折り目での折り返しを展開した状態を肌面側から見た平面図を表す。
【図１６】本発明の使い捨ておむつに備えられる止着テープのさらに他の一例を表し、止着テープを第１折り目と第２折り目で折り返した状態を肌面側から見た平面図を表す。
【図１７】図１６に示した止着テープを第１折り目での折り返しを展開した状態を肌面側から見た平面図を表す。
【図１８】図１７に示した止着テープを第２折り目での折り返しを展開した状態を肌面側から見た平面図を表す。
【発明を実施するための形態】
【００１７】
本発明の使い捨ておむつについて、図面を参照して説明する。なお本発明は、図面に示された実施態様に限定されるものではない。図１、図２および図８には、本発明の使い捨ておむつの一例を示した。図１は、止着テープを備えた使い捨ておむつを肌面側から見た平面図を表し、図２は、図１に示した使い捨ておむつのＩＩ−ＩＩ断面図を表し、図８は図１に示した使い捨ておむつの着用状態の斜視図を表す。図１では、図面の上側がおむつの前側に相当し、図面の下側がおむつの後側に相当する。図１に示した使い捨ておむつにおいて、おむつの左側に取り付けられた止着テープは、止着テープを展開した状態を表し、おむつの右側に取り付けられた止着テープは、止着テープが折り返された状態を表す。本願の図では、矢印ｘが幅方向、矢印ｙが前後方向を表し、矢印ｘ，ｙにより形成される面に対して垂直方向が厚み方向ｚを表す。
【００１８】
使い捨ておむつ１は、おむつ本体２と、おむつ本体２の幅方向ｘの両側に設けられた止着テープ２１とを有する。おむつ本体２は、前側部と後側部とこれらの間に位置する股部とを有し、止着テープ２１がおむつ本体２の後側部の両側に取り付けられている。使い捨ておむつ１は、着用の際、前側部を着用者の腹部に、股部を着用者の股間部に、後側部を着用者の背部に当て、止着テープ２１をおむつ本体２の前側部に止着することで、図８に示すようなパンツ形状に形成して使用する。例えば、おむつ本体２の前側部の外側面に止着対応部１０が設けられ、止着テープ２１を止着対応部１０に止着することで、使い捨ておむつ１を着用することができる。
【００１９】
使い捨ておむつ１は、前後方向ｙと幅方向ｘを有する。前後方向ｙと幅方向ｘは、使い捨ておむつ１を平面状に広げた状態で規定される。前後方向ｙとは、使い捨ておむつを着用した際に着用者の股間の前後方向に延びる方向に相当する。幅方向ｘとは、使い捨ておむつと同一面上にあり前後方向ｙと直交する方向を意味し、使い捨ておむつを着用した際の着用者の左右方向に相当する。また本発明において、使い捨ておむつの肌面側とは、使い捨ておむつを着用した際の着用者の肌に向く側を意味し、使い捨ておむつの外側とは、使い捨ておむつを着用した際の着用者とは反対に向く側を意味する。
【００２０】
おむつ本体２は、例えば、トップシート３とバックシート４の間に吸収体５が配されて構成される。トップシート３は、使い捨ておむつを着用した際に着用者側に位置するシートであり、バックシート４は、使い捨ておむつを着用した際に着用者とは反対側、すなわち外側に位置するシートである。着用者から排泄された尿等は、トップシート３を透過して吸収体５に収容される。バックシート４は、排泄物が外部へ漏れるのを防ぐ。
【００２１】
トップシート３は液透過性であることが好ましく、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート３として、織布、編布、有孔樹脂フィルム等を用いてもよい。
【００２２】
バックシート４は液不透過性であることが好ましく、ポリオレフィン（例えば、ポリプロピレン、ポリエチレン）、ポリエステル（例えば、ＰＥＴ）、ポリアミド（例えば、ナイロン）等の疎水性繊維から形成された不織布や、樹脂フィルム等を用いることができる。またバックシート４として、不織布とフィルムとの積層体を用いてもよい。
【００２３】
吸収体５は、尿等の排泄物を吸収できる吸収性材料を含むものであれば特に限定されない。吸収体５としては、例えば、吸収性材料を所定形状に成形した成形体を用いたり、あるいは当該成形体を紙シート（例えば、ティッシュペーパーや薄葉紙）や液透過性不織布等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱溶着性繊維が含まれてもよい。これらの熱溶着性繊維は、尿等との親和性を高めるために、界面活性剤等により親水化処理がされていてもよい。
【００２４】
吸収性材料は、尿等の吸収速度を高める点から、親水性繊維を含むことが好ましい。また、吸収容量を高める点からは、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００２５】
吸収体５は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２６】
吸収体５の形状（平面形状）は特に限定されない。吸収体（あるいは吸収体を構成する成形体）の形状は、用途に応じて適宜決定すればよく、例えば、長方形、砂時計形、ひょうたん形、羽子板形等が挙げられる。なお、吸収体が着用者の大腿部に挟まれて幅方向ｘに圧迫されても歪みにくくする点から、吸収体、あるいは吸収体を構成する成形体は、砂時計形に形成されていることが好ましい。
【００２７】
おむつ本体２には、トップシート３の幅方向ｘの両側に、トップシート３よりも幅方向ｘの外方に延在するサイドシート６が接合していることが好ましい。サイドシート６は液不透過性であることが好ましく、バックシート４に使用可能なシート材料から構成することができる。
【００２８】
サイドシート６は、トップシート３の幅方向ｘの両側に、立ち上がりフラップ７を形成することが好ましい。この場合、サイドシート６には、図２に示すように、トップシート３との接合部９よりも幅方向ｘの内方部分に前後方向ｙに延びる起立用弾性部材８が設けられることが好ましく、起立用弾性部材８の収縮力によってサイドシート６の内方部分が立ち上げられて、立ち上がりフラップ７を形成することができる。立ち上がりフラップ７を設けることにより、尿等の横漏れを防ぐことができる。立ち上がりフラップ７は前後方向ｙの端部の内面がトップシート３上に接合されてもよく、これにより、おむつを着用の際に立ち上がりフラップ７が着用者の肌に向かって立ち上がりやすくなる。
【００２９】
上記説明した各シートとして不織布を用いる場合、不織布としては、スパンボンド不織布、エアスルー不織布、ポイントボンド不織布、メルトブロー不織布、エアレイド不織布、ＳＭＳ不織布等を用いることが好ましい。各シートの単位面積あたりの質量は、１０ｇ／ｍ2以上が好ましく、１２ｇ／ｍ2以上がより好ましく、また４０ｇ／ｍ2以下が好ましく、３０ｇ／ｍ2以下がより好ましい。
【００３０】
おむつ本体２には、幅方向ｘの両側にそれぞれ、前後方向ｙに延びる脚周り弾性部材１１が設けられることが好ましい（図１を参照）。脚周り弾性部材１１を設けることにより、着用者の脚周りにギャザーを形成して脚周りのフィット性を高めたり、横漏れを防止することができる。
【００３１】
おむつ本体２には、前後方向ｙの端部に、幅方向ｘに延びるウェスト用弾性部材１２を設けてもよい。ウェスト用弾性部材１２の収縮力により、着用者の腰周りに沿ったウェストギャザーが形成され、背中側や腹部側からの尿等の排泄物の漏れが防止される。
【００３２】
上記に説明した各弾性部材としては、ポリウレタン糸、ポリウレタンフィルム、天然ゴム等の通常使い捨ておむつに用いられる弾性伸縮材料を用いることができる。弾性部材は、伸張状態で、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【００３３】
止着テープ２１について、図３〜図６を参照して詳しく説明する。図３は、図１に示した使い捨ておむつ１の右側に取り付けられた止着テープ２１の拡大平面図を表し、止着テープ２１を第１折り目Ｆ１で折り返した状態を肌面側から見た平面図を表す。図４は、図３に示した止着テープ２１を第１折り目Ｆ１での折り返しを展開した状態を肌面側から見た平面図を表し、図５は、図４に示した止着テープ２１を、第１折り目Ｆ１に沿って形成されたシール部３２の接合を解いて、完全に平面状に展開した状態を肌面側から見た平面図を表し、図６は、図５のＶＩ−ＶＩ断面図を表す。
【００３４】
止着テープ２１は、テープ基材２２に留め具２５が設けられて構成される。止着テープ２１は、テープ基材２２の一方側に形成され、少なくとも一部がおむつ本体２に取り付けられたテープ本体部２６と、テープ基材２２の他方側に形成され、テープ本体部２６から幅方向ｘに延在し前後方向ｙに離隔して設けられた前側つまみ部２７と後側つまみ部２８とを有し、前側つまみ部２７と後側つまみ部２８にそれぞれ留め具２５が設けられる。
【００３５】
テープ基材２２は、留め具２５が設けられる第１面２３と、第１面２３の反対側の第２面２４を有する（図６を参照）。止着テープ２１を展開した状態で、第１面２３はテープ基材２２の肌面側の面に対応し、第２面２４はテープ基材２２の外側の面に対応する。
【００３６】
テープ基材２２としては、不織布、織布、編布、樹脂フィルム、あるいはこれらの積層体等を用いることができる。テープ基材２２は、伸縮性材料から構成されてもよい。なお、後述するシール部３２でのテープ基材２２どうしの接合力を高める点から、テープ基材２２は、織布、編布または不織布から構成されていることが好ましく、不織布から構成されていることがより好ましい。また、テープ基材２２を不織布から構成することにより、テープ基材２２に折り目を形成することが容易になる。
【００３７】
テープ基材２２に不織布を用いる場合、スパンボンド不織布、エアスルー不織布、ポイントボンド不織布、メルトブロー不織布、エアレイド不織布、ＳＭＳ不織布等を用いることができるが、テープ基材２２としては、スパンボンド不織布またはＳＭＳ不織布を用いることが好ましく、スパンボンド不織布を用いることがより好ましい。このような不織布を用いれば、高強度のテープ基材を得やすくなる。また、テープ基材２２に用いられる不織布はエンボス加工されていることが好ましく、これによりテープ基材に剛性が付与され、止着テープ２１の取り扱い性が向上する。
【００３８】
テープ基材２２の単位面積あたりの質量は、５０ｇ／ｍ2以上が好ましく、５５ｇ／ｍ2以上がより好ましく、また１２０ｇ／ｍ2以下が好ましく、１００ｇ／ｍ2以下がより好ましい。テープ基材２２の単位面積あたりの質量が５０ｇ／ｍ2以上であれば、テープ基材が十分な剛性を有するようになり、テープ基材２２の単位面積あたりの質量が１２０ｇ／ｍ2以下であれば、テープ基材が厚くなりすぎず、取り扱い性が向上する。
【００３９】
留め具２５としては、面ファスナー（フック・ループ・ファスナー）や粘着テープを用いることができる。留め具２５は、おむつ本体２の前側部（具体的には止着対応部１０）と着脱可能に形成される。留め具２５はまた、テープ基材２２とも着脱可能であることが好ましい。
【００４０】
面ファスナーとしてはフック部材やループ部材を用いることができる。留め具２５として面ファスナーのフック部材を用いる場合は、おむつ本体２の前側部の外側面に面ファスナーのループ部材を止着対応部１０として設けたり、あるいは、おむつ本体２の前側部の外側面をループ部材として機能する材料（例えば、不織布、織布、編布等）から構成し、これを止着対応部１０としてもよい。また、テープ基材２２を、ループ部材として機能する材料（例えば、不織布、織布、編布等）から構成することが好ましい。面ファスナーのフック部材は、例えば、基盤から、錨形、鉤形、きのこ形、柱形等の形状のフックが多数突出して構成される。
【００４１】
留め具２５として粘着テープを用いる場合は、止着対応部１０として、おむつ本体２の前側部の外側面に樹脂フィルムを設けたり、おむつ本体２の前側部の外側面を樹脂フィルムから構成し、これを止着対応部１０としてもよい。また、テープ基材２２を樹脂フィルムから構成することが好ましい。
【００４２】
留め具２５は面ファスナーのフック部材であり、テープ基材２２は不織布から構成されることが好ましい。これにより、後述するように止着テープ２１を第１折り目Ｆ１や第２折り目Ｆ２で折り返しやすくなるとともに、止着テープ２１を第１折り目Ｆ１や第２折り目Ｆ２で折り返した際に、前側つまみ部２７や後側つまみ部２８を留め具２５でテープ基材２２に仮留めすることができる。その結果、止着テープ２１を折り畳んだ状態を安定して保持することができる。
【００４３】
テープ本体部２６は、テープ基材２２の一方側に形成され、少なくとも一部がおむつ本体２に取り付けられる。図３〜図６に示した止着テープ２１では、テープ本体部２６の幅方向ｘの内方部分がおむつ本体２に取り付けられ、当該内方部分から幅方向ｘの外方にテープ本体部２６がさらに延在している。テープ本体部２６は、図６に示すように、サイドシート６とバックシート４の間に配されることが好ましく、これにより止着テープ２１をおむつ本体２に安定して取り付けることができる。
【００４４】
前側つまみ部２７と後側つまみ部２８は、テープ基材２２の他方側に形成される部分であり、前側つまみ部２７と後側つまみ部２８は互いに前後方向ｙに離隔して設けられる。図５に示すように止着テープ２１が完全に展開した状態で、前側つまみ部２７と後側つまみ部２８はテープ本体部２６からそれぞれ幅方向ｘの外方に延在することが好ましい。前側つまみ部２７の幅方向ｘの長さと後側つまみ部２８の幅方向ｘの長さは、互いに同じであっても異なっていてもよい。図５に示すように止着テープ２１が完全に展開した状態で、前側つまみ部２７と後側つまみ部２８は、互いに略平行に設けられることが好ましい。
【００４５】
前側つまみ部２７と後側つまみ部２８にはそれぞれ留め具２５が設けられる。前側つまみ部２７に設けられる留め具２５の数は、１つであっても複数であってもよい。後側つまみ部２８に設けられる留め具２５の数は、１つであっても複数であってもよい。前側つまみ部２７（または後側つまみ部２８）に留め具２５が複数設けられる場合、複数の留め具２５は、止着テープ２１の折り畳みを展開した状態で、互いに幅方向ｘに離隔して設けられることが好ましい。図３〜図６では、前側つまみ部２７に留め具２５が２つ設けられ、後側つまみ部２８に留め具２５が２つ設けられている。なお、テープ基材２２の第２面２４には留め具は設けられないことが好ましく、また、留め具は前側つまみ部２７と後側つまみ部２８のみに設けられることが好ましい。
【００４６】
前側つまみ部２７において、留め具２５は、前側つまみ部２７の延在方向に対して略垂直方向に延びるように配置されることが好ましい。同様に、後側つまみ部２８において、留め具２５は、後側つまみ部２８の延在方向に対して略垂直方向に延びるように配置されることが好ましい。このように留め具２５が設けられていれば、前側つまみ部２７または後側つまみ部２８を止着対応部１０に止着した際、前側つまみ部２７または後側つまみ部２８に先端部から剥がれる力が作用しても、留め具２５がその力に対してより広い範囲で対抗して、留め具２５が不用意に止着対応部１０から剥がれにくくなる。
【００４７】
止着テープ２１は、前後方向ｙに前方領域２９と中間領域３０と後方領域３１とを有する。前方領域２９と中間領域３０と後方領域３１は、図３に示すように止着テープ２１が第１折り目Ｆ１で折り返された状態で前後方向ｙに対して区分され、前側つまみ部２７のテープ本体部２６との接続部における前後方向ｙの中心２７Ｃより前側部分が前方領域２９となり、後側つまみ部２８のテープ本体部２６との接続部における前後方向ｙの中心２８Ｃより後側部分が後方領域３１となり、前方領域２９と後方領域３１の間の部分が中間領域３０となる。
【００４８】
止着テープ２１は、使用前は、図３に示すように少なくとも第１折り目Ｆ１で折り返されている。具体的には、止着テープ２１は第１折り目Ｆ１で留め具２５を内側にして幅方向ｘの内方に折り返されている。第１折り目Ｆ１は、テープ本体部２６に形成されてもよく、前側つまみ部２７や後側つまみ部２８に形成されてもよい。図３では、第１折り目Ｆ１はテープ本体部２６のおむつ本体２から幅方向ｘの外方に延在した部分に形成されている。第１折り目Ｆ１は、前後方向ｙに略平行に延びるように形成されていることが好ましく、例えば前後方向ｙに対して１０°以内の角度で延びるように形成されることが好ましく、５°以内の角度がより好ましい。
【００４９】
図３に示した止着テープ２１は、第１折り目Ｆ１で折り返されることにより、前側つまみ部２７と後側つまみ部２８に設けられた留め具２５がテープ本体部２６に仮留めされることが好ましい。このように前側つまみ部２７と後側つまみ部２８の留め具２５がテープ本体部２６に仮留めされることにより、使い捨ておむつ１の使用前、止着テープ２１が第１折り目Ｆ１で折り返された状態が安定して保持される。留め具２５はおむつ本体２に仮留めされていてもよいが、おむつ本体２の留め具２５による損傷を防ぐ点からは、留め具２５は止着テープ２１のテープ基材２２に仮留めされることが好ましい。
【００５０】
なお、前側つまみ部２７や後側つまみ部２８の留め具２５による仮留めとは、使い捨ておむつ１の使用前に、留め具２５を止着対応部１０ではなくそれ以外の部材（例えば、止着テープ２１のテープ基材２２やおむつ本体２のサイドシート６等）に脱着可能に止着されることを意味する。
【００５１】
テープ基材２２は、第１折り目Ｆ１で折り返された状態で、第１折り目Ｆ１を挟んだ一方側と他方側がシール部３２で互いに接合されている。図３に示した止着テープ２１では、シール部３２が形成された領域がストライプ状のハッチングで示されている。図５に示した止着テープ２１は、シール部３２の接合を解いて完全に平面状に展開した状態が示されているが、シール部３２が形成されていた箇所を符号３２を付して表している。
【００５２】
シール部３２は少なくとも中間領域３０に形成され、前方領域２９と後方領域３１にはシール部３２が形成されていないか、前方領域２９および／または後方領域３１にシール部３２が形成される場合は、中間領域３０に形成されたシール部３２の幅方向ｘの最も内方部の第１折り目Ｆ１からの距離が、前方領域２９に形成されたシール部３２の幅方向ｘの最も内方部の第１折り目Ｆ１からの距離と後方領域３１に形成されたシール部３２の幅方向ｘの最も内方部の第１折り目Ｆ１からの距離よりも長くなっている。各領域におけるシール部３２の幅方向ｘの最も内方部の第１折り目Ｆ１からの距離は、止着テープ２１を第１折り目Ｆ１で折り返した状態で計測される。各領域におけるシール部３２の幅方向ｘの最も内方部の第１折り目Ｆ１からの距離は、各領域におけるシール部３２の幅方向ｘの内方縁のうち最も内方側に位置する箇所の第１折り目Ｆ１からの距離を意味する。図３〜図５では、シール部３２は中間領域３０とともに前方領域２９と後方領域３１にも形成されている。
【００５３】
止着テープ２１はこのように第１折り目Ｆ１に沿ってシール部３２が形成されているため、第１折り目Ｆ１の折り返しを展開した際に、図４に示すように前方領域２９と後方領域３１が中間領域３０よりも幅方向ｘに長く展開され、前側つまみ部２７と後側つまみ部２８が互いに近づくように展開しやすくなる。そのため、使い捨ておむつ１を着用する際、止着テープ２１の折り畳みを展開して前側つまみ部２７と後側つまみ部２８を止着対応部１０に止着させると、図８に示されるように前側つまみ部２７と後側つまみ部２８を重ね合わせて留める重ね留めを、使用者が自然に行えるようになる。このように前側つまみ部２７と後側つまみ部２８を止着対応部１０に止着させると、止着テープ２１によって着用者の骨盤の側面が上方側および下方側からサポートされて、使い捨ておむつ１の着用者の腰周りへのフィット性や両脚の付け根付近でのフィット性が高まる。その結果、使い捨ておむつ１を安定して着用することができ、また着用者の脚周りや腰周りからの尿等の漏れが起こりにくくなる。
【００５４】
シール部３２では、テープ基材２２の第１折り目Ｆ１を挟んだ一方側と他方側が直接接合していてもよく、他の部材を介して接合していてもよい。図３および図４では、テープ基材２２の第１折り目Ｆ１を挟んだ一方側と他方側がシール部３２で直接接合しているが、第１折り目Ｆ１がおむつ本体２の近くに形成される場合は、テープ基材２２の第１折り目Ｆ１を挟んだ一方側と他方側がおむつ本体２（例えばサイドシート６）を介して接合されることもある。シール部３２では、テープ基材２２の第１折り目Ｆ１を挟んだ一方側と他方側が重ねられて一体化されていればよい。
【００５５】
シール部３２は、接着剤や溶着等により形成することができる。例えば、テープ基材２２の第１面２３に接着剤を塗工し、止着テープ２１を第１折り目Ｆ１で留め具２５を内側にして幅方向ｘの内方に折り返すことにより、シール部３２を形成することができる。あるいは、止着テープ２１を第１折り目Ｆ１で留め具２５を内側にして幅方向ｘの内方に折り返した状態で、テープ基材２２の第１折り目Ｆ１に沿った部分をヒートシールや超音波溶着により溶着することにより、シール部３２を形成することができる。第１折り目Ｆ１がおむつ本体２の近くに形成される場合は、第１折り目Ｆ１で折り返されたテープ基材２２とともにおむつ本体２（例えばサイドシート６やバックシート４）も一緒に溶着されてもよい。なかでも、シール部３２は溶着により形成されることが好ましく、これによりシール部３２を所望の形状で形成することが容易になる。
【００５６】
シール部３２は、テープ本体部２６に形成されてもよく、前側つまみ部２７や後側つまみ部２８に形成されてもよい。なお、シール部３２は留め具２５には形成されないことが好ましい。シール部３２はまた、止着テープ２１の折り畳みを展開した状態で、留め具２５よりも幅方向ｘの内方に形成されることが好ましい。図３〜図５では、シール部３２は、テープ本体部２６のおむつ本体２から幅方向ｘの外方に延出した部分に形成されている。
【００５７】
シール部３２の形状は特に限定されない。図３では、シール部３２が三角形の形状で形成されているが、例えば円形や長円形、四角形等の多角形、あるいは直線状や曲線状に形成されてもよい。いずれの場合も、シール部３２が中間領域３０のみに形成されているか、前方領域２９および／または後方領域３１にもシール部３２が形成される場合は、中間領域３０に形成されたシール部３２の幅方向ｘの最も内方部の第１折り目Ｆ１からの距離が、前方領域２９に形成されたシール部３２の幅方向ｘの最も内方部の第１折り目Ｆ１からの距離と後方領域３１に形成されたシール部３２の幅方向ｘの最も内方部の第１折り目Ｆ１からの距離よりも長くなっていればよい。シール部３２は、中間領域３０において、あるいは中間領域３０から前方領域２９および／または後方領域３１にかけて連続的に設けられてもよく、断続的に複数設けられてもよい。
【００５８】
図９には、図３に示した止着テープ２１の変形例として、様々な形状のシール部３２の形成例を示した。図９（ａ）では、シール部３２は図３と同様に三角形の形状で形成されているが、シール部３２は中間領域３０のみに形成されている。図９（ｂ）では、シール部３２は複数の矩形が組み合わされた階段形状に形成されている。図９（ｃ）では、複数の円形のシール部３２が前後方向ｙに間隔を空けて配置されて形成されている。図９（ｄ）では、シール部３２は第１折り目Ｆ１に対して斜めに延びる直線状に形成されている。このように、シール部３２は様々な形状で形成することができる。
【００５９】
中間領域３０において、シール部３２は、前後方向ｙに対して前側つまみ部２７と重なる位置および後側つまみ部２８と重なる位置に少なくとも形成されることが好ましく、それらの間、すなわち前側つまみ部２７と後側つまみ部２８に重ならない位置にも形成されることがより好ましい。このようにシール部３２が形成されていれば、止着テープ２１の第１折り目Ｆ１での折り返しを展開した際、前側つまみ部２７と後側つまみ部２８が安定して互いに近づくように展開することができる。
【００６０】
シール部３２は前方領域２９と後方領域３１にも形成されることが好ましい。すなわち、シール部３２は中間領域３０から前方領域２９と後方領域３１にかけて形成されることが好ましい。このようにシール部３２が形成されていれば、止着テープ２１の第１折り目Ｆ１での折り返しを展開した際、前側つまみ部２７と後側つまみ部２８がさらに安定して互いに近づくように展開することができる。
【００６１】
前方領域２９と後方領域３１において、シール部３２は、前後方向ｙに対して前側つまみ部２７と後側つまみ部２８と重なる位置のみに形成されてもよい。この場合、シール部３２は、前後方向ｙに対して、前側つまみ部２７よりも前側および後側つまみ部２８よりも後側に形成されないため、止着テープ２１の第１折り目Ｆ１での折り返しを展開した際、テープ基材２２の前側縁近傍と後側縁近傍で止着テープ２１が完全に展開され、止着テープ２１を幅方向ｘにより長い長さで展開することができる。同様の観点から、シール部３２は、テープ基材２２の前側縁から５ｍｍ以内および後側縁から５ｍｍ以内に形成されなくてもよい。
【００６２】
シール部３２は、第１折り目Ｆ１からシール部３２の幅方向ｘの内方縁までの距離が前側にいくほど短くなる前側傾斜部と、第１折り目Ｆ１からシール部３２の幅方向ｘの内方縁までの距離が後側にいくほど短くなる後側傾斜部を有することが好ましい。シール部３２の前側傾斜部と後側傾斜部は、前後方向ｙに互いに接続していてもよく、互いに離隔していてもよい。前側つまみ部２７のテープ本体部２６との接続部における前後方向ｙの中心２７Ｃと後側つまみ部２８のテープ本体部２６との接続部における前後方向ｙの中心２８Ｃとの中点に対して、シール部３２の前側傾斜部はそれより前側に形成されることが好ましく、シール部３２の後側傾斜部はそれより後側に形成されることが好ましい。
【００６３】
シール部３２は、図３、図９（ａ）および図９（ｄ）に示されるように、幅方向ｘの内方縁が、第１折り目Ｆ１に対して斜めに直線状に延びる部分を有するように形成されることが好ましい。例えば、シール部３２の前側傾斜部は、幅方向ｘの内方縁が、前側にいくほど第１折り目Ｆ１に近づくように斜めに直線状に延びていることが好ましく、シール部３２の後側傾斜部は、幅方向ｘの内方縁が、後側にいくほど第１折り目Ｆ１に近づくように斜めに直線状に延びていることが好ましい。このようにシール部３２が形成されていれば、止着テープ２１の第１折り目Ｆ１での折り返しを展開した際、シール部３２でのテープ基材２２の接合が剥がれにくくなり、また前側つまみ部２７と後側つまみ部２８を安定して互いに近づくように展開することができる。
【００６４】
シール部３２の前側傾斜部と後側傾斜部は、幅方向ｘの内方縁が、第１折り目Ｆ１に対して５°以上３５°以下の角度をなすように斜めに直線状に延びるように形成されていることが好ましい。このようにシール部３２の前側傾斜部と後側傾斜部が形成されていれば、止着テープ２１を使用する際、前側つまみ部２７と後側つまみ部２８を幅方向ｘに引っ張りやすくなり、使い捨ておむつ１を着用者の腰周りにフィット性良く着用することが容易になる。なお、シール部３２の前側傾斜部と後側傾斜部の幅方向ｘの内方縁の第１折り目Ｆ１に対する角度は、当該内方縁と第１折り目Ｆ１とのなす角の絶対値を意味し、０°〜９０°の間の値をとる。当該角度は、１０°以上がより好ましく、１２°以上がさらに好ましく、また３０°以下が好ましく、２５°以下がより好ましい。シール部３２の前側傾斜部の幅方向ｘの内方縁と第１折り目Ｆ１とのなす角度と、シール部３２の後側傾斜部の幅方向ｘの内方縁の第１折り目Ｆ１に対する角度は、互いに同一であっても異なっていてもよい。
【００６５】
シール部３２では、テープ基材２２の第１折り目Ｆ１を挟んだ一方側と他方側が剥離可能に互いに接合されていてもよい。このようにシール部３２が形成されていれば、使用者の好みに応じて、シール部３２でのテープ基材２２どうしの接合を維持したまま、前側つまみ部２７と後側つまみ部２８が互いに近づくように展開させて使用したり、あるいはシール部３２での接合を解除して、前側つまみ部２７と後側つまみ部２８が互いに平行に延びるように展開させて使用することができる。
【００６６】
上記のようにシール部３２がテープ基材２２どうしの接合が剥離可能に形成される場合、シール部３２は、図９（ｄ）に示すように、線状に形成されることが好ましい。シール部３２が線状に形成されることにより、使用者の好みに応じて、シール部３２での接合を解除することが容易になる。シール部３２が線状に形成される場合、線状のシール部３２の幅は３ｍｍ以下が好ましく、２ｍｍ以下がより好ましく、１ｍｍ以下がさらに好ましい。シール部３２は連続的に形成されていてもよく、断続的に形成されていてもよく、例えば、シール部３２の前側傾斜部と後側傾斜部はそれぞれ連続的に形成されてもよく、断続的に形成されてもよい。前側傾斜部と後側傾斜部においてシール部３２が断続的に形成される場合の断続長さは、０．５ｍｍ以上が好ましく、１ｍｍ以上がより好ましく、また５ｍｍ以下が好ましく、３ｍｍ以下がより好ましい。
【００６７】
シール部３２は、第１折り目Ｆ１から２５ｍｍを超えて形成されないことが好ましく、２０ｍｍを超えて形成されないことがより好ましく、１５ｍｍを超えて形成されないことがさらに好ましい。このようにシール部３２が形成されることにより、止着テープ２１の折り畳みを展開して使用する際、止着テープ２１が嵩張りにくくなり、止着テープ２１の取り扱い性が良好となる。
【００６８】
図３に示した止着テープ２１は、図７に示すように、さらに第３折り目Ｆ３で折り返されていてもよい。この場合、止着テープ２１は、第３折り目Ｆ３で前側つまみ部２７と後側つまみ部２８を内側にして幅方向ｘの内側に折り返されていることが好ましい。このように止着テープ２１が折り返されることにより、止着テープ２１をおむつ本体２と重なるようにコンパクトに折り畳むことができる。
【００６９】
第３折り目Ｆ３は、テープ本体部２６に形成され、おむつ本体２には形成されないことが好ましい。また、前側つまみ部２７と後側つまみ部２８は第３折り目Ｆ３で折り返されないことが好ましい。これにより、前側つまみ部２７と後側つまみ部２８が過剰に折り返されず、止着テープ２１の折り畳みを展開して止着テープ２１を使用する際に、止着テープ２１の取り扱い性が良好となる。
【００７０】
第３折り目Ｆ３は、おむつ本体２の幅方向ｘの側縁から、幅方向ｘの外方の５ｍｍ以内に形成されることが好ましく、３ｍｍ以内がより好ましく、２ｍｍ以内がさらに好ましい。第３折り目Ｆ３はまた、おむつ本体２の前後方向ｙに延びるように形成されることが好ましく、これにより、止着テープ２１を第３折り目Ｆ３で折り返した状態で、使い捨ておむつ１の幅方向ｘの側縁をすっきりと形成することができる。
【００７１】
図１０〜図１２には、本発明の使い捨ておむつに備えられる止着テープの他の例を示した。図１０は、止着テープを第１折り目と第２折り目で折り返した状態を肌面側から見た平面図を表し、図１１は、図１０に示した止着テープを第１折り目での折り返しを展開した状態を肌面側から見た平面図を表し、図１２は、図１１に示した止着テープを第２折り目での折り返しを展開した状態を表す。図１０〜図１２において、図３〜図６に示した止着テープと同じ構成部材は同一の参照符号を用いて示されている。下記の図１０〜図１２の止着テープの説明において、上記と重複する部分の説明は省略する。
【００７２】
図１０〜図１２に示した止着テープ２１は、図３〜図６に示した止着テープ２１に対して、前側つまみ部２７と後側つまみ部２８がさらに第２折り目Ｆ２で折り返されている。具体的には、止着テープ２１は、前側つまみ部２７と後側つまみ部２８にそれぞれ形成された第２折り目Ｆ２で留め具２５を内側にして幅方向ｘの内方に折り返され、さらにテープ本体部２６に形成された第１折り目Ｆ１で折り返された前側つまみ部２７と後側つまみ部２８を内側にして幅方向ｘの内方に折り返されている。このように止着テープ２１を第１折り目Ｆ１と第２折り目Ｆ２で折り返すことにより、止着テープ２１をコンパクトに折り畳むことができる。
【００７３】
図１０〜図１２に示した止着テープ２１では、前側つまみ部２７と後側つまみ部２８が第２折り目Ｆ２で折り返されることにより、前側つまみ部２７と後側つまみ部２８に設けられた留め具２５がテープ基材２２のテープ本体部２６に仮留めされることが好ましい。これにより、前側つまみ部２７と後側つまみ部２８を第２折り目Ｆ２で折り返した状態を安定して保持することができる。
【００７４】
第２折り目Ｆ２は、図１０〜図１２に示すように前側つまみ部２７（または後側つまみ部２８）に留め具２５が複数設けられる場合は、止着テープ２１の折り畳みを展開した状態で、複数設けられた留め具２５の少なくとも１つの留め具２５よりも幅方向ｘの内方に形成されることが好ましい。前側つまみ部２７（または後側つまみ部２８）に留め具２５が１つのみ設けられる場合は、止着テープ２１の折り畳みを展開した状態で、当該留め具２５よりも幅方向ｘの内方に形成されることが好ましい。図１０および図１１では、前側つまみ部２７（または後側つまみ部２８）に設けられた２つの留め具２５の間に第２折り目Ｆ２が形成されている。
【００７５】
図１０〜図１２に示した止着テープ２１は、テープ本体部２６に形成された第１折り目Ｆ１で折り返され、第１折り目Ｆ１を挟んだテープ基材２２の一方側と他方側がシール部３２で直接接合されている。図１０〜図１２に示した止着テープ２１も、第１折り目Ｆ１での折り返しを展開すると、前側つまみ部２７と後側つまみ部２８が互いに近づくように展開することができる。なお、前側つまみ部２７と後側つまみ部２８は第１折り目Ｆ１で折り返されないことが好ましく、これにより、前側つまみ部２７と後側つまみ部２８が過剰に折り返されず、止着テープ２１の折り畳みを展開して止着テープ２１を使用する際に、止着テープ２１の取り扱い性が良好となる。
【００７６】
止着テープ２１が第１折り目Ｆ１と第２折り目Ｆ２で折り返された状態で、シール部３２は、前側つまみ部２７と後側つまみ部２８よりも幅方向ｘの外方に形成されることが好ましい。すなわち、中間領域３０に形成されたシール部３２の幅方向ｘの最も内方部は、第２折り目Ｆ２で折り返された前側つまみ部２７と後側つまみ部２８の先端部よりも幅方向ｘの外方に位置することが好ましい。このようにシール部３２が形成されることにより、止着テープ２１の第１折り目Ｆ１の折り返しを展開した後、前側つまみ部２７と後側つまみ部２８の第２折り目Ｆ２での折り返しを展開することが容易になり、止着テープ２１の取り扱い性が良好となる。
【００７７】
図１３〜図１５には、本発明の使い捨ておむつに備えられる止着テープのさらに他の例を示した。図１３は、止着テープを第１折り目と第２折り目で折り返した状態を肌面側から見た平面図を表し、図１４は、図１３に示した止着テープを第１折り目での折り返しを展開した状態を肌面側から見た平面図を表し、図１５は、図１４に示した止着テープを第２折り目での折り返しを展開した状態を表す。図１３〜図１５において、図３〜図６、図１０〜図１２に示した止着テープと同じ構成部材は同一の参照符号を用いて示されている。下記の図１３〜図１５の止着テープの説明において、上記と重複する部分の説明は省略する。
【００７８】
図１０〜図１２に示した止着テープ２１では、シール部３２が、テープ本体部２６のおむつ本体２から幅方向ｘの外方に延出した部分のみに形成され、シール部３２においてテープ基材２２の第１折り目Ｆ１を挟んだ一方側と他方側が直接接合されていたが、図１３〜図１５に示した止着テープ２１では、第１折り目Ｆ１がおむつ本体２により近い箇所に形成され、シール部３２が止着テープ２１のテープ基材２２だけでなくおむつ本体２にも形成されている。その結果、シール部３２において、テープ基材２２の第１折り目Ｆ１を挟んだ一方側と他方側が、おむつ本体２（詳細にはサイドシート６）を介して接合されている。シール部３２はこのように形成されていてもよく、この場合、より強固にシール部３２を形成することができる。
【００７９】
図１３〜図１５に示した止着テープ２１は、第２折り目Ｆ２で折り返さずに第１折り目Ｆ１のみで折り返して折り畳むこともできる。この場合、止着テープ２１は、第１折り目Ｆ１で折り返されることにより、前側つまみ部２７と後側つまみ部２８に設けられた留め具２５がおむつ本体２に仮留めされてもよい。
【００８０】
図１６〜図１８には、本発明の使い捨ておむつに備えられる止着テープのさらに他の例を示した。図１６は、止着テープを第１折り目と第２折り目で折り返した状態を肌面側から見た平面図を表し、図１７は、図１６に示した止着テープを第１折り目での折り返しを展開した状態を肌面側から見た平面図を表し、図１８は、図１７に示した止着テープを第２折り目での折り返しを展開した状態を表す。図１６〜図１８において、図３〜図６、図１０〜図１５に示した止着テープと同じ構成部材は同一の参照符号を用いて示されている。下記の図１６〜図１８の止着テープの説明において、上記と重複する部分の説明は省略する。
【００８１】
図１６〜図１８に示した止着テープ２１は、テープ本体部２６の全体がおむつ本体２に取り付けられており、前側つまみ部２７と後側つまみ部２８がおむつ本体２から幅方向ｘの外方に延在するように設けられている。このように止着テープ２１がおむつ本体２に取り付けられていてもよい。なお、図１６〜図１８に示した止着テープ２１は、テープ本体部２６の一部のみがおむつ本体２に取り付けられる態様を排除するものではない。
【００８２】
図１６〜図１８に示した止着テープ２１では、前側つまみ部２７と後側つまみ部２８に第１折り目Ｆ１が形成されており、前側つまみ部２７と後側つまみ部２８におけるテープ基材２２の第１折り目Ｆ１を挟んだ一方側と他方側がシール部３２で互いに接合されている。このようにシール部３２が形成されていても、第１折り目Ｆ１の折り返しあるいはさらに第２折り目Ｆ２の折り返しを展開した際に、図１７および図１８に示すように、前側つまみ部２７と後側つまみ部２８が互いに近づくように展開することができる。なお図面には示されていないが、シール部３２は、止着テープ２１のテープ基材２２だけでなくおむつ本体２にも形成されていてもよい。この場合、シール部３２において、テープ基材２２の第１折り目Ｆ１を挟んだ一方側と他方側がおむつ本体２（詳細にはサイドシート６）を介して接合されることとなる。また、第１折り目Ｆ１をおむつ本体２のより近くに形成することができるため、止着テープ２１をおむつ本体２と重なるようにコンパクトに折り畳むことができる。
【００８３】
図１６〜図１８に示した止着テープ２１では、前側つまみ部２７（または後側つまみ部２８）に留め具２５が１つのみ設けられているが、前側つまみ部２７（または後側つまみ部２８）に留め具２５が２つ以上設けられていてもよい。また、止着テープ２１を第２折り目Ｆ２で折り返さずに第１折り目Ｆ１のみで折り返して折り畳むこともできる。この場合、止着テープ２１は、第１折り目Ｆ１で折り返されることにより、前側つまみ部２７と後側つまみ部２８に設けられた留め具２５がおむつ本体２に仮留めされてもよい。
【符号の説明】
【００８４】
１：  使い捨ておむつ
２：  おむつ本体
３：  トップシート
４：  バックシート
５：  吸収体
２１：  止着テープ
２２：  テープ基材
２５：  留め具
２６：  テープ本体部
２７：  前側つまみ部
２８：  後側つまみ部
２９：  前方領域
３０：  中間領域
３１：  後方領域
３２：  シール部
Ｆ１：  第１折り目
Ｆ２：  第２折り目
Ｆ３：  第３折り目
【要約】
【課題】着用の際に止着テープの重ね留めを容易に行うことができる使い捨ておむつを提供する。
【解決手段】おむつ本体２の幅方向ｘの両側に止着テープ２１が設けられた使い捨ておむつであって、止着テープ２１は、前後方向ｙに離隔して設けられた前側つまみ部２７と後側つまみ部２８とを有し、第１折り目Ｆ１で留め具２５を内側にして幅方向ｘの内方に折り返されており、テープ基材２２は第１折り目Ｆ１を挟んだ一方側と他方側がシール部３２で互いに接合され、シール部３２は中間領域３０に形成され、前方領域２９と後方領域３１にはシール部３２が形成されていないか、中間領域３０に形成されたシール部３２の幅方向ｘの最も内方部の第１折り目Ｆ１からの距離が、前方領域２９に形成されたシール部３２と後方領域３１に形成されたシール部３２の幅方向ｘの最も内方部の第１折り目Ｆ１からの距離よりも長い。
【選択図】図３【図１】
0006880264.tif 000002
【図２】
0006880264.tif 000003
【図３】
0006880264.tif 000004
【図４】
0006880264.tif 000005
【図５】
0006880264.tif 000006
【図６】
0006880264.tif 000007
【図７】
0006880264.tif 000008
【図８】
0006880264.tif 000009
【図９】
0006880264.tif 000010
【図１０】
0006880264.tif 000011
【図１１】
0006880264.tif 000012
【図１２】
0006880264.tif 000013
【図１３】
0006880264.tif 000014
【図１４】
0006880264.tif 000015
【図１５】
0006880264.tif 000016
【図１６】
0006880264.tif 000017
【図１７】
0006880264.tif 000018
【図１８】
0006880264.tif 000019